(57)【特許請求の範囲】
【請求項１】
Ｘ線を発生するＸ線管と被検体を透過したＸ線を検出するＸ線検出器とを有する架台部と、前記被検体が載置される寝台部と、Ｘ線コンピュータ断層撮影のために前記架台部と前記寝台部とを制御するとともに、前記Ｘ線コンピュータ断層撮影で収集された投影データに基づいて画像を再構成するコンソールとを有するＸ線コンピュータ断層撮影装置において、
前記Ｘ線コンピュータ断層撮影の検査スケジュールデータを記憶する記憶部と、
前記架台部と前記寝台部と前記コンソールとに電力を供給する稼動モードと前記寝台部と前記架台部とへの電力の供給を停止し、前記稼動モードで供給される電力に比べて少ない電力を前記コンソールに供給する待機モードとで選択的に動作可能な電源部と、
前記検査スケジュールデータに基づいて、前記稼動モードから前記待機モードへの切り替えを制御する電源制御部と、
を具備することを特徴とするＸ線コンピュータ断層撮影装置。
【請求項２】
放射線部門情報管理システムと病院情報システムとの少なくとも一方に電子的通信回線を介して接続するためのインターフェースをさらに具備し、
前記記憶部は、前記インターフェースを介して前記放射線部門情報管理システムまたは前記病院情報システムから受信したＸ線コンピュータ断層撮影の検査スケジュールデータをさらに記憶すること、
を特徴とする請求項１記載のＸ線コンピュータ断層撮影装置。
【請求項３】
前記記憶部は、Ｘ線コンピュータ断層撮影の終了時刻から前記Ｘ線管の温度状態が冷却状態に達するまでの第１の時間をさらに記憶し、
前記電源制御部は、前記検査スケジュールデータと前記第１の時間とに基づいて、前記稼動モードから前記待機モードへの切り替えを制御すること、
を特徴とする請求項１記載のＸ線コンピュータ断層撮影装置。
【請求項４】
前記電源制御部は、前記検査スケジュールデータに基づいて、前記待機モードから前記稼動モードへの切り替えをさらに制御すること、
を特徴とする請求項１記載のＸ線コンピュータ断層撮影装置。
【請求項５】
前記記憶部は、前記Ｘ線管の温度状態が冷却状態から加熱状態に達するまでの第２の時間をさらに記憶し、
前記電源制御部は、前記検査スケジュールデータと前記第２の時間とに基づいて、前記待機モードから前記稼動モードへの切り替えをさらに制御すること、
を特徴とする請求項１記載のＸ線コンピュータ断層撮影装置。
【請求項６】
Ｘ線を発生するＸ線管と被検体を透過したＸ線を検出するＸ線検出器とを有する架台部と、前記被検体が載置される寝台部と、Ｘ線コンピュータ断層撮影のために前記架台部と前記寝台部とを制御するとともに、前記Ｘ線コンピュータ断層撮影で収集された投影データに基づいて画像を再構成するコンソールとを有するＸ線コンピュータ断層撮影装置において、
前記架台部と前記寝台部と前記コンソールとに電力を供給する稼動モードと前記寝台部と前記架台部とへの電力の供給を停止し、前記稼動モードで供給される電力に比べて少ない電力を前記コンソールに供給する待機モードとで選択的に動作可能な電源部と、
前記架台部の温度状態と前記コンソールにおける前記投影データの処理状態とに基づいて、前記稼動モードから前記待機モードへの切り替えを制御する電源制御部と、
を具備することを特徴とするＸ線コンピュータ断層撮影装置。
【請求項７】
前記Ｘ線管の温度と前記Ｘ線検出器の温度とを計測する計測部と、
前記コンソールで再構成された画像と所定の閾値とを記憶する記憶部とをさらに具備し、
前記架台部の温度状態は、計測された前記Ｘ線管の温度が前記所定の閾値より高い温度から前記所定の閾値へ達した冷却状態であり、
前記コンソールにおける前記投影データの処理状態は、前記画像が再構成され前記記憶部に前記画像が記憶された状態であること、
を特徴とする請求項６記載のＸ線コンピュータ断層撮影装置。
【請求項８】
放射線部門情報管理システムと病院情報システムとの少なくとも一方に電子的通信回線を介して接続するためのインターフェースと、
前記インターフェースを介して前記放射線部門情報管理システムまたは前記病院情報システムから受信したＸ線コンピュータ断層撮影の検査スケジュールデータを記憶する記憶部と、
前記Ｘ線管の温度と前記Ｘ線検出器の温度とを計測する計測部とをさらに具備し、
前記電源制御部は、計測された前記Ｘ線管の温度と計測された前記Ｘ線検出器の温度との少なくとも一方と前記検査スケジュールデータとに基づいて、前記待機モードから前記稼動モードへの切り替えをさらに制御すること、
を特徴とする請求項６記載のＸ線コンピュータ断層撮影装置。
【請求項９】
Ｘ線を発生するＸ線管と被検体を透過したＸ線を検出するＸ線検出器とを有する架台部と、前記被検体が載置される寝台部と、Ｘ線コンピュータ断層撮影のために前記架台部と前記寝台部とを制御するとともに、前記Ｘ線コンピュータ断層撮影で収集された投影データに基づいて画像を再構成するコンソールとを有するＸ線コンピュータ断層撮影装置において、
前記Ｘ線コンピュータ断層撮影の検査スケジュールデータを記憶する記憶部と、
前記架台部と前記寝台部と前記コンソールとに電力を供給する稼動モードと前記寝台部と前記架台部とへの電力の供給を停止し、前記稼動モードで供給される電力に比べて少ない電力を前記コンソールに供給する待機モードとで選択的に動作可能な電源部と、
前記架台部の温度状態と前記コンソールにおける前記投影データの処理状態とに基づいて前記稼動モードから前記待機モードへの切り替えと、前記架台部の温度状態と前記検査スケジュールデータとに基づいて前記待機モードから前記稼動モードへの切り替えとを制御する電源制御部と、
を具備することを特徴とするＸ線コンピュータ断層撮影装置。
【請求項１０】
放射線部門情報管理システムと病院情報システムとの少なくとも一方に電子的通信回線を介して接続するためのインターフェースをさらに具備し、
前記記憶部は、前記インターフェースを介して前記放射線部門情報管理システムまたは前記病院情報システムから受信したＸ線コンピュータ断層撮影の検査スケジュールデータをさらに記憶すること、
を特徴とする請求項９記載のＸ線コンピュータ断層撮影装置。
【発明の詳細な説明】
【技術分野】
【０００１】
本発明の実施形態は、Ｘ線コンピュータ断層撮影装置に関する。
【背景技術】
【０００２】
従来、Ｘ線コンピュータ断層撮影装置は、いつ急病の患者が来てもよいように、Ｘ線コンピュータ断層撮影を行っていない待機時においても、Ｘ線コンピュータ断層撮影を行う時のように稼動状態を維持している（図７参照）。このため、Ｘ線コンピュータ断層撮影を行っていない待機時における消費電力が大きい問題がある。
【発明の概要】
【発明が解決しようとする課題】
【０００３】
目的は、Ｘ線コンピュータ断層撮影を行っていない待機時にＸ線コンピュータ断層撮影装置の消費電力を低減させることにある。
【課題を解決するための手段】
【０００４】
本実施形態に係るＸ線コンピュータ断層撮影装置は、Ｘ線を発生するＸ線管と被検体を透過したＸ線を検出するＸ線検出器とを有する架台部と、前記被検体が載置される寝台部と、Ｘ線コンピュータ断層撮影のために前記架台部と前記寝台部とを制御するとともに、前記Ｘ線コンピュータ断層撮影で収集された投影データに基づいて画像を再構成するコンソールとを有するＸ線コンピュータ断層撮影装置であって、前記Ｘ線コンピュータ断層撮影の検査スケジュールデータを記憶する記憶部と、前記架台部と前記寝台部と前記コンソールとに電力を供給する稼動モードと前記寝台部と前記架台部とへの電力の供給を停止し、前記稼動モードで供給される電力に比べて少ない電力を前記コンソールに供給する待機モードとで選択的に動作可能な電源部と、前記検査スケジュールデータに基づいて、前記稼動モードから前記待機モードへの切り替えを制御する電源制御部と、を具備することを特徴とする。
【図面の簡単な説明】
【０００５】
【図１】第１の実施形態に係るＸ線コンピュータ断層撮影装置の構成を示す図である。
【図２】第１の実施形態に係り、Ｘ線コンピュータ断層撮影の検査スケジュールデータに基づいて、稼動モードから待機モードへの切り替えと待機モードから稼動モードへの切り替えとの処理の流れを示す流れ図である。
【図３】第１の実施形態に係り、稼動モードから待機モードへの切り替えと待機モードから稼動モードへの切り替えとを、Ｘ線コンピュータ断層撮影の検査スケジュールとともに示す図である。
【図４】第２の実施形態に係るＸ線コンピュータ断層撮影装置の構成を示す図である。
【図５】第２の実施形態に係り、Ｘ線コンピュータ断層撮影装置の状態に基づいて稼動モードから待機モードへの切り替えと、Ｘ線コンピュータ断層撮影装置の状態と検査スケジュールデータとに基づいて待機モードから稼動モードへの切り替えとの処理の流れを示す流れ図である。
【図６】第２の実施形態に係り、稼動モードから待機モードへの切り替えと待機モードから稼動モードへの切り替えとを、Ｘ線コンピュータ断層撮影の検査スケジュールとともに示す図である。
【図７】図７は、従来の一般的な検査手順を示す図である。
【発明を実施するための形態】
【０００６】
以下、Ｘ線コンピュータ断層撮影装置（Ｃｏｍｐｕｔｅｄ  Ｔｏｍｏｇｒａｐｈｙ）の実施形態について図面を参照しながら説明する。なお、Ｘ線コンピュータ断層撮影装置には、Ｘ線管とＸ線検出器とが一体として被検体の周囲を回転するＲｏｔａｔｅ／Ｒｏｔａｔｅ−Ｔｙｐｅ、リング状にアレイされた多数のＸ線検出素子が固定され、Ｘ線管のみが被検体の周囲を回転するＳｔａｔｉｏｎａｒｙ／Ｒｏｔａｔｅ−Ｔｙｐｅ等様々なタイプがあり、いずれのタイプでも本実施形態へ適用可能である。また、画像を再構成するには被検体の周囲一周、３６０°分の投影データが、またハーフスキャン法でも１８０°＋ファン角度分の投影データが必要とされる。いずれの再構成方式に対しても本実施形態へ適用可能である。また、入射Ｘ線を電荷に変化するメカニズムは、シンチレータ等の蛍光体でＸ線を光に変換し更にその光をフォトダイオード等の光電変換素子で電荷に変換する間接変換形と、Ｘ線によるセレン等の半導体内での電子正孔対の生成及びその電極への移動すなわち光導電現象を利用した直接変換形とが主流である。Ｘ線検出素子としては、それらのいずれの方式を採用してもよい。さらに、近年では、Ｘ線管とＸ線検出器との複数のペアを回転リングに搭載したいわゆる多管球型のＸ線コンピュータ断層撮影装置の製品化が進み、その周辺技術の開発が進んでいる。本実施形態においては、従来からの一管球型のＸ線コンピュータ断層撮影装置であっても、多管球型のＸ線コンピュータ断層撮影装置であってもいずれも適用可能である。ここでは、一管球型として説明する。
【０００７】
なお、以下の説明において、略同一の機能及び構成を有する構成要素については、同一符号を付し、重複説明は必要な場合にのみ行う。
【０００８】
（第１の実施形態）  
図１は、第１の実施形態に係るＸ線コンピュータ断層撮影装置の構成を示す図である。第１の実施形態に係るＸ線コンピュータ断層撮影装置１は、寝台部３、高電圧発生部５、架台部７、インターフェース９、記憶部１０、コンソール１１、電源部１３、電源制御部１５を有する。
【０００９】
寝台部３は、被検体Ｐが載置される略長方形の形状を有する天板３１と、天板３１を長手方向、横手方向、上下方向に個々に移動可能に支持する図示していない天板支持機構と、天板支持機構を制御する図示していない天板制御部とを有する。天板制御部は、後述する稼動モードにおいて、操作者の指示に従って天板支持機構を制御する。稼動モードにおける寝台部３は、操作者の指示がない場合においても、操作者の指示に対応するために、所定の電力を消費する。後述する待機モードにおいて、後述する電源部１３から寝台部３へ電力の供給が停止されるため、寝台部３は電力を消費しない。これにより寝台部３は、稼動モードに比べて省電力化される。
【００１０】
高電圧発生部５は、Ｘ線管７１の陽極ターゲットと陰極フィラメントとの間に高電圧を印加するための図示していない高電圧電源と、Ｘ線管７１の陰極フィラメントにフィラメント電流を供給するための図示していないフィラメント電流発生器とを有する。なお、高電圧発生部５は、稼動モードに対して電源部１３から電力が供給され、待機モードに対して電源部１３からの電力の供給が停止されてもよい。これにより高電圧発生部５は、稼動モードに比べて省電力化される。
【００１１】
架台部７には、回転支持機構が収容される。回転支持機構は、回転リング７３と、回転軸Ｚを中心として回転自在に回転リング７３を支持するリング支持機構とリングの回転を駆動する図示していない駆動部（電動機）からなる。回転リング７３には、Ｘ線管７１と、２次元アレイ型または多列型とも称されるエリア検出器（以下Ｘ線検出器と呼ぶ）７５が搭載されている。Ｘ線検出器７５の出力側には、ＤＡＳ（Ｄａｔａ  Ａｃｑｕｉｓｉｔｉｏｎ  Ｓｙｓｔｅｍ）と呼ばれるデータ収集回路７７が接続されている。Ｘ線コンピュータ断層撮影が実施される前に予熱を与える第１のヒータ７１１と、Ｘ線の発生に伴って発生した熱による熱負荷を抑えるための冷却装置７１３とは、Ｘ線管７１に接続されている。また、Ｘ線コンピュータ断層撮影が実施される前に予熱を与える第２のヒータ７５１は、Ｘ線検出器７５に接続されている。
【００１２】
Ｘ線管７１は、高電圧発生部５から図示していないスリップリングを経由して電圧の印加およびフィラメント電流の供給を受けて、Ｘ線の焦点７１５からＸ線を放射する。Ｘ線の焦点７１５から放射されたＸ線は、Ｘ線管７１のＸ線放射窓に取り付けられた図示していないコリメーターユニットにより、例えばコーンビーム形（角錐形）に整形される。Ｘ線の放射範囲１０１は、点線で示されている。Ｘ軸は、回転軸Ｚと直交し、放射されるＸ線の焦点７１５を通る直線である。Ｙ軸は、Ｘ軸および回転軸Ｚと直交する直線である。本実施形態におけるＸ線管７１は、回転陽極型のＸ線管であるとして説明する。なお、固定陽極型Ｘ線管などの他の型のＸ線管でも本実施形態に適用可能である。
【００１３】
Ｘ線管７１は、陰極フィラメントと回転式の陽極ターゲットとを有する。Ｘ線管７１は、円盤状の陽極ターゲットを、相互間に軸受部を有する回転体および固定体で機械的に支える。Ｘ線管７１は、真空容器外の回転体の位置に対応した位置に配置されたステータの電磁コイルに回転駆動力を供給することで、円盤状の陽極ターゲットを回転させる。高電圧発生装置５のフィラメント電流発生器から供給されるフィラメント電流は、陰極フィラメントに供給される。陰極フィラメントは、所定の温度（以下第１の閾値と呼ぶ）となるまでフィラメント電流により加熱される。加熱された陰極フィラメントは、電子を放出する。放出された電子は、陰極フィラメントと陽極ターゲットとの間における高電圧電源により印加された電圧に従って、陽極ターゲットに衝突する。陽極ターゲットに衝突した電子により、Ｘ線が発生される。陽極ターゲットに電子が衝突すると、陽極ターゲットの温度は上昇する。Ｘ線管７１には、Ｘ線の発生により蓄積された熱の過負荷によるＸ線管７１の故障を防ぐために、管球保護機能（オーバーロードプロテクション：ＯｖｅｒＬｏａｄ−Ｐｒｏｔｅｃｔｅｃｔｉｏｎ：以下ＯＬＰと呼ぶ）が備え付けられている。ＯＬＰは、Ｘ線の発生条件（管電圧、管電流、Ｘ線の発生時間）およびＸ線の発生を休止している時間とからＸ線管７１による発熱量と以下で説明する冷却装置７１３による冷却効率とに基づいて、Ｘ線管７１に蓄積される熱が所定の範囲を越えないようにするものである。
【００１４】
冷却装置７１３は、図示していないラジエター（放熱器）とポンプとで構成される。冷却装置７１３は、Ｘ線管７１を冷却する。具体的には、Ｘ線管７１の容器本体に満たされた絶縁油を冷却する。絶縁油は、固定体を介して、陽極ターゲットで発生した熱を吸収する。冷却装置７１３は、Ｘ線管７１の温度が所定の温度（以下所定の閾値と呼ぶ）に達するまでＸ線管７１の絶縁油を冷却する。以下、Ｘ線管７１の温度が所定の閾値に達した状態を冷却状態と呼ぶ。
【００１５】
第１のヒータ７１１は、Ｘ線管７１の軸受部に接続される。第１のヒータ７１１は、Ｘ線管７１の陽極ターゲットの回転前に、軸受部における液体金属潤滑剤の融点以上の温度（以下第２の閾値と呼ぶ）まで、軸受部を加熱する。軸受部は、ボールベアリングのようなころがり軸受、またはらせん溝を形成させた軸受面にガリウム（Ｇａ）、ガリウム−インジウム−錫（Ｇａ−Ｉｎ−Ｓｎ）合金などのような回転動作中に液状となる液体金属潤滑剤を用いた動圧式すべり軸受などで構成される。以下軸受部は、動圧式すべり軸受で構成されるものとして説明する。動圧式すべり軸受の軸受面間に充填される液体金属潤滑剤の融点は、例えばＧａ−Ｉｎ−Ｓｎ合金における低融点のものでも１０．７℃であり、ビスマス（Ｂｉ）を含むＢｉ−Ｉｎ−Ｐｂ−Ｓｎ合金では、５７℃である。Ｘ線管７１が液体金属潤滑剤の融点以下の温度環境で使用される場合、液体金属潤滑剤は凍った状態となっている。このため、第１のヒータ７１１は、Ｘ線管７１の陽極ターゲットの回転開始前に、軸受部の温度を第２の閾値に達するまで加熱して、液体金属潤滑剤を融解させる。なお、Ｘ線管７１の軸受部などにおいて、液体金属潤滑剤が使用されない場合、第１のヒータ７１１は省かれてもよい。
【００１６】
Ｘ線検出器７５は、回転軸Ｚを挟んでＸ線管７１に対峙する位置およびアングルで取り付けられる。Ｘ線検出器７５は、複数のＸ線検出素子を有している。ここでは、単一のＸ線検出素子が単一のチャンネルを構成しているものとして説明する。複数のチャンネルは、回転軸Ｚに直交し、かつ放射されるＸ線の焦点７１５を中心として、この中心から１チャンネル分のＸ線検出素子の受光部中心までの距離を半径とする円弧方向（チャンネル方向）とＺ方向との２方向に関して２次元状に配列される。また、Ｘ線検出器７５は、複数のＸ線検出素子を１列に配列した複数のモジュールで構成されてもよい。モジュール各々は、上記チャンネル方向に沿って略円弧方向に１次元状に配列される。また複数のＸ線検出素子は、チャンネル方向とスライス方向との２方向に関して２次元状に配列させてもよい。すなわち、２次元状の配列は、上記チャンネル方向に沿って一次元状に配列された複数のチャンネルを、スライス方向に関して複数列並べて構成される。このような２次元状のＸ線検出素子配列を有するＸ線検出器７５は、略円弧方向に１次元状に配列される複数の上記モジュールをスライス方向に関して複数列並べて構成してもよい。
【００１７】
第２のヒータ７５１は、Ｘ線検出器７５に接続される。第２のヒータ７５１は、Ｘ線検出素子の温度に依存するＸ線感度を一定の範囲に保つために、Ｘ線検出器７５を加熱する。具体的には、Ｘ線検出器７５の温度が一定の範囲のＸ線感度に対応する温度範囲の下限よりも低下したとき、第２のヒータ７５１は、Ｘ線検出器７５を上記温度範囲の上限（以下第３の閾値と呼ぶ）を越えないように加熱する。これにより、Ｘ線検出器７５のＸ線感度は一定の範囲を有する。
【００１８】
以下、Ｘ線管７１の軸受部の温度が第２の閾値に達し、かつＸ線検出器７５の温度が第３の閾値に達した状態を加熱状態と呼ぶ。なお、陰極フィラメントの温度が第１の閾値に達した状態を上記加熱状態に含めてもよい。架台部７の温度状態は、冷却状態と加熱状態との２種類である。
【００１９】
撮影又はスキャンに際しては、Ｘ線管７１とＸ線検出器７５との間の円筒形の撮影領域１０３内に、被検体Ｐが天板３１に載置され挿入される。Ｘ線検出器７５の出力側には、ＤＡＳと呼ばれるデータ収集回路７７が接続されている。
【００２０】
データ収集回路７７には、Ｘ線検出器７５の各チャンネルの電流信号を電圧に変換するＩ−Ｖ変換器と、この電圧信号をＸ線の曝射周期に同期して周期的に積分する積分器と、この積分器の出力信号を増幅するアンプと、このアンプの出力信号をディジタル信号変換するアナログ・ディジタル・コンバータとが、チャンネルごとに取り付けられている。データ収集回路７７から出力されるデータ（以下純生データ（Ｐｕｒｅ  ｒａｗ  Ｄａｔａ）と呼ぶ）は、磁気送受信又は光送受信を用いた図示していない非接触データ伝送部を経由して、図示していない前処理部に伝送される。前処理部は、データ収集回路７７から出力される純生データに対して前処理を施す。
【００２１】
前処理には、例えばチャンネル間の感度不均一補正処理、Ｘ線強吸収体、主に金属部による極端な信号強度の低下または、信号脱落を補正する処理等が含まれる。前処理部から出力される再構成処理直前のデータ（生データ（Ｒａｗ  ｄａｔａ）または、投影データと称される、ここでは投影データと呼ぶ）は、データ収集したときにビューアングルを表すデータと関連付けられて、磁気ディスク、光磁気ディスク、又は半導体メモリを備えた記憶部１０に記憶される。なお、投影データとは、被検体を透過したＸ線の強度に応じたデータ値の集合である。ここでは説明の便宜上、ワンショットで略同時に収集したビューアングルが同一である全チャンネルにわたる一揃いの投影データを、投影データセットと称する。また、ビューアングルは、Ｘ線管７１が回転軸Ｚを中心として周回する円軌道の各位置を、回転軸Ｚから鉛直上向きにおける円軌道の最上部を０°として３６０°の範囲の角度で表したものである。なお、投影データセットの各チャンネルに対する投影データは、ビューアングル、コーン角、チャンネル番号によって識別される。
【００２２】
インターフェース９は、コンソール１１と電子的通信回線（以下ネットワークと呼ぶ）とを接続する。ネットワークには、放射線部門情報管理システム（Ｒａｄｉｏｌｏｇｙ  Ｉｎｆｏｒｍａｔｉｏｎ  Ｓｙｓｔｅｍ：以下ＲＩＳと呼ぶ）２００と病院情報システム（Ｈｏｓｐｉｔａｌ  Ｉｎｆｏｒｍａｔｉｏｎ  Ｓｙｓｔｅｍ：以下ＨＩＳと呼ぶ）２０１とが接続される。
【００２３】
ＲＩＳ２００は、放射線部門の業務を効率的に進めるコンピュータシステムである。具体的には、ＲＩＳ２００は、放射線部門に対する検査オーダの参照、検査実施情報の記録、会計情報の記録および伝送、フィルムなどの消耗品の在庫管理、各種統計処理を行うコンピュータシステムである。放射線技師などによりＸ線コンピュータ断層撮影の検査予約数が、Ｘ線コンピュータ断層撮影装置を使用する検査の予約表に基づいて、ＲＩＳ２００に入力される。ＨＩＳ２０１は、病院内の業務を効率的に行うためのコンピュータシステム全体を指し、医事会計システム、検査オーダシステム、薬剤システム、給食システム、病棟管理システムなどから構成される。ＨＩＳ２００は、医師の患者に対する診察に基づいて、Ｘ線コンピュータ断層撮影の指示箋を発行する。発行されたＸ線コンピュータ断層撮影の指示箋に基づいて、Ｘ線コンピュータ断層撮影が実施される。ＲＩＳ２００およびＨＩＳ２０１は、Ｘ線コンピュータ断層撮影の開始時刻データおよび終了時刻データと、検査予約数などとを含むＸ線コンピュータ断層撮影の検査スケジュールデータを記憶する。また、検査スケジュールデータは、医師と患者との問診によりＨＩＳ２０１に入力されたデータ、Ｘ線コンピュータ断層撮影の検査の予約表に基づいて放射線技師などによりＲＩＳ２００に入力された検査予約数のデータなどを有する。以下の説明のため、検査スケジュールデータに含まれるＸ線コンピュータ断層撮影の数は、複数あるものとする。すなわち、検査予約数は複数あるものとする。なお、本実施形態は、検査スケジュールデータに含まれるＸ線コンピュータ断層撮影の数が一つの場合であっても、適用可能である。
【００２４】
記憶部１０は、以下で説明するコンソール１１の再構成部１１０で再構成された画像と、前処理部から出力された投影データと、Ｘ線コンピュータ断層撮影の検査スケジュールデータと、Ｘ線コンピュータ断層撮影の終了時刻からＸ線管７１の温度が冷却状態に達するまでの時間（以下第１の時間と呼ぶ）と、Ｘ線コンピュータ断層撮影の開始時刻前に冷却状態から加熱状態に達するまでの時間（以下第２の時間と呼ぶ）と、Ｘ線コンピュータ断層撮影のために寝台部３、高電圧発生部５、および架台部７などを制御する制御プログラムなどを記憶する。なお、記憶部１０は、以下で説明するコンソール１１に含まれてもよい。なお、Ｘ線コンピュータ断層撮影の検査スケジュールデータは、図示していない記憶媒体からインターフェース等を介して読み込まれ、記憶部１０に記憶されてもよい。また、Ｘ線コンピュータ断層撮影の検査スケジュールデータは、ネットワークおよびインターフェース９を介してＲＩＳ２００またはＨＩＳ２０１から受信し、記憶部１０に記憶されてもよい。
【００２５】
なお、第１の時間と第２の時間との少なくとも一方は、コンソール１１を介して操作者により設定されてもよい。また、第１の時間と第２の時間の少なくとも一方は、コンソール１１を介して、操作者により変更可能である。なお、第２の時間は、Ｘ線コンピュータ断層撮影の開始時刻前に冷却状態から陰極フィラメントが第１の閾値に達するまでの時間（以下第３の時間と呼ぶ）を含んでもよい。また、第１の時間は、Ｘ線コンピュータ断層撮影の終了時刻から、Ｘ線管７１の温度がＯＬＰに対する所定の割合に達するまでの時間でもよい。
【００２６】
コンソール１１は、再構成部１１０、制御部１１３、表示部１１５、入力部１１７を有する。再構成部１１０は、図示していない前処理部から出力された投影データを用いて、画像を再構成する。コンソール１１で消費される電力は、後述する電源部１３により供給される。なお、コンソール１１で消費される電力は、ローカルエリアネットワーク（Ｌｏｃａｌ  Ａｒｅａ  Ｎｅｔｗｏｒｋ：以下ＬＡＮと呼ぶ）により供給されてもよい。電源部１３で説明する待機モードにおいてコンソール１１に供給される電力は、電源部１３で説明する稼動モードにおいてコンソールに供給される電力よりも少ない。以下、待機モードにおけるコンソール１１の状態を省電力状態と呼ぶ。以下、コンソール１１の構成要素それぞれについて、具体的に説明する。
【００２７】
再構成部１１０は、ビューアングルが３６０°又は１８０°＋ファン角度の範囲内の投影データセットに基づいて、フェルドガンプ法またはコーンビーム再構成法により、略円柱形の３次元画像を再構成する機能を有する。ボリュームデータにおけるスライス面に垂直な方向（Ｚ方向）の端の領域には、撮像視野（Ｆｉｅｌｄ  ｏｆ  ｖｉｅｗ）の領域に再構成するための３６０°分の投影データがそろわない領域が存在する。投影データが不足する領域は、ボリュームデータの信頼性が低い。投影データが不足する領域は、再構成しない又は再構成画像を表示しない。この領域は一般にマスク（ＭＡＳＫ）領域と称される。再構成部１１０は、例えばファンビーム再構成法（ファンビーム・コンボリューション・バックプロジェクション法ともいう）またはフィルタード・バックプロジェクション法により２次元画像（断層画像）を再構成する機能を有する。フェルドガンプ法は、コーンビームのように再構成面に対して投影レイが交差する場合の再構成法であり、コーン角が小さいことを前提として畳み込みの際にはファン投影ビームとみなして処理し、逆投影はスキャンの際のレイに沿って処理する近似的画像再構成法である。コーンビーム再構成法は、フェルドガンプ法よりもコーン角のエラーが抑えられる方法として、再構成面に対するレイの角度に応じて投影データを補正する再構成法である。
【００２８】
表示部１１５は、再構成部１１０で再構成された画像、記憶部１０に記憶された画像、Ｘ線コンピュータ断層撮影のために設定される条件などを表示する。
【００２９】
入力部１１７は、操作者が所望するＸ線コンピュータ断層撮影の撮影条件などを入力する。具体的には、入力部１１７は、操作者からの各種指示・命令・情報・選択・設定を本Ｘ線コンピュータ断層撮影装置１に取り込む。入力部１１７は、図示しないが、関心領域の設定などを行うためのトラックボール、スイッチボタン、マウス、キーボード等を有する。入力部１１７は、表示画面上に表示されるカーソルの座標を検出し、検出した座標を制御部１１３に出力する。なお、入力部１１７は、表示画面を覆うように設けられたタッチパネルでもよい。この場合、入力部１１７は、電磁誘導式、電磁歪式、感圧式等の座標読み取り原理でタッチ指示された座標を検出し、検出した座標を制御部１１３に出力する。
【００３０】
制御部１１３は、本Ｘ線コンピュータ断層撮影装置１の中枢として機能する。制御部１１３は、図示しないＣＰＵとメモリとを備える。制御部１１３は、記憶部１０に記憶された検査スケジュールデータと記憶部１０に記憶された制御プログラムとに基づいて、Ｘ線コンピュータ断層撮影のために寝台部３、高電圧発生部５、および架台部７を制御する。具体的には、制御部１１３は、入力部１１７から送られてくる操作者の指示や画像処理の条件などの情報を、一時的に図示していないメモリに記憶する。制御部１１３は、メモリに一時的に記憶されたこれらの情報に基づいて、寝台部３、高電圧発生部５、および架台部７を制御する。制御部１１３は、所定の画像発生・表示等を実行するための制御プログラムを、記憶部１０から読み出して自身が有するメモリ上に展開し、各種処理に関する演算・処理等を実行する。
【００３１】
電源部１３は、後述する電源制御部１５による制御に基づいて、寝台部３、高電圧発生部５、架台部７、およびコンソール１１に電力を供給する。電源部１３は、寝台部３、高電圧発生部５、架台部７、およびコンソール１１とに電力を供給する稼動モードと、寝台部３と架台部７とへの電力の供給を停止し、稼動モードで供給される電力に比べて少ない電力をコンソール１１に供給する待機モードとを有する。電源部１３は、稼動モードと待機モードとを、電源制御部１５による制御に従って選択する。なお、電源部１３は、待機モードにおいて高電圧発生部５に電力を供給してもよい。稼動モードは、検査スケジュールデータにおけるＸ線コンピュータ断層撮影の開始時刻から第２の時間を遡った時刻（待機モードを稼動モードに切り替える時刻：以下、稼動モードへの切り替え時刻と呼ぶ）から、このＸ線コンピュータ断層撮影の終了時刻から第１の時間が経過した時刻（稼動モードを待機モードに切り替える時刻：以下、待機モードへの切り替え時刻と呼ぶ）までの時間間隔に適用される。待機モードは、待機モードへの切り替え時刻から、次のＸ線コンピュータ断層撮影における稼動モードへの切り替え時刻までの時間間隔に適用される。
【００３２】
稼動モードへの切り替え時刻と待機モードへの切り替え時刻とは、以下で説明する電力制御部１５で決定される。稼動モードへの切り替え時刻は、例えばＸ線コンピュータ断層撮影それぞれの開始時刻の３０分前である。待機モードから稼動モードへの切り替えは、救急または急診の患者の情報がＲＩＳ２００とＨＩＳ２０１とコンソール１１とのうち少なくとも一つに入力された時刻に基づいて、実行されてもよい。また、救急または急診の患者の情報がＲＩＳ２００とＨＩＳ２０１とコンソール１１とのうち少なくとも一つに入力されると、検査スケジュールデータは更新される。なお、稼動モードへの切り替え時刻は、検査スケジュールデータにおけるＸ線コンピュータ断層撮影それぞれの開始時刻から、第２の時間と第３の時間とのうちより長い時間を遡った時刻でもよい。
【００３３】
電源制御部１５は、記憶部１０に記憶された検査スケジュールデータと第１の時間と第２の時間とに基づいて電源部１３を制御する。具体的には、電源制御部１５は、Ｘ線コンピュータ断層撮影の検査当日の検査スケジュールデータを記憶部１０から読み出す。電源制御部１５は、読み出された検査スケジュールデータにおけるＸ線コンピュータ断層撮影それぞれの終了時刻から第１の時間が経過した待機モードへの切り替え時刻を決定する。電源制御部１５は、読み出された検査スケジュールデータにおけるＸ線コンピュータ断層撮影それぞれの開始時刻から第２の時間を遡った稼動モードへの切り替え時刻を決定する。電源制御部１５は、待機モードへの切り替え時刻に従って、稼動モードから待機モードへ切り替えるように電源部１３を制御する。電源制御部１５は、稼動モードへの切り替え時刻に従って、待機モードから稼動モードへ切り替えるように電源部１３を制御する。なお、電源制御部１５は、検査スケジュールデータにおけるＸ線コンピュータ断層撮影それぞれの開始時刻から、第２の時間と第３の時間とのうちより長い時間を遡った時刻を、稼動モードへの切り替え時刻して決定してもよい。
【００３４】
（モード切り替え機能）  
モード切り替え機能とは、待機モードから稼動モードへ切り替える機能と稼動モードから待機モードへ切り替える機能である。以下、モード切り替え機能に従う処理（以下モード切り替え処理と呼ぶ）を説明する。
【００３５】
図２は、Ｘ線コンピュータ断層撮影の検査当日におけるモード切り替え処理の手順を示すフローチャートである。  
Ｘ線コンピュータ断層撮影の検査当日、ＲＩＳ２００またはＨＩＳ２０１から受信した検査スケジュールデータが記憶部１０に記憶される（ステップＳａ１）。なお、記憶部１０に記憶される検査スケジュールデータは、図示していない記憶媒体などから読み込まれてもよい。記憶された検査スケジュールデータにおける複数のＸ線コンピュータ断層撮影それぞれの開始時刻から、第２の時間を遡った稼動モードへの切り替え時刻が決定される（ステップＳａ２）。なお、複数のＸ線コンピュータ断層撮影それぞれの開始時刻から、第２の時間と第３の時間とのうちより長い時間を遡った時刻を、稼動モードへの切り替え時刻としてもよい。決定された稼動モードへの切り替え時刻に従って、待機モードから稼動モードへ電源部１３のモードが切り替えられる。
【００３６】
稼動モードに従って、寝台部３、高電圧発生部５、架台部７、およびコンソール１１とに電力が供給される（ステップＳａ３）。このとき、コンソール１１の省電力状態は解除される。架台部７に電力が供給されると、Ｘ線管７１は、第１のヒータ７１１により、第２の閾値に達するまで加熱される。架台部７に電力が供給されると、Ｘ線検出器７５は、第２のヒータ７５１により第３の閾値に達するまで加熱される。高電圧発生部５に電力が供給されると、陰極フィラメントは、高電圧発生部５のフィラメント電流発生器により、第１の閾値に達するまで加熱される。
【００３７】
Ｘ線コンピュータ断層撮影の開始時刻に達すると、Ｘ線コンピュータ断層撮影が開始される（ステップＳａ４）。Ｘ線コンピュータ断層撮影が終了される（ステップＳａ５）と、Ｘ線コンピュータ断層撮影の終了時刻から第１の時間と第２の時間とを加算した時間が経過するまでに、次のＸ線コンピュータ断層撮影の有無が、記憶された検査スケジュールデータに基づいて判定される（ステップＳａ６）。次のＸ線コンピュータ断層撮影があれば、電源部１３の稼動モードは維持され、ステップＳａ４からステップＳａ６までの処理が繰り返される。次のＸ線コンピュータ断層撮影がなければ、Ｘ線管７１は、ステップＳａ５におけるＸ線コンピュータ断層撮影の終了時刻から第１の時間が経過するまで、冷却装置７１３により冷却される。
【００３８】
Ｘ線コンピュータ断層撮影の終了時刻から第１の時間が経過する（ステップＳａ７）と、寝台部３と架台部７とへの電力の供給が停止される（ステップＳａ８）。このとき、コンソール１１は、省電力状態となる。なお、このとき、高電圧発生部５への電力の供給が停止されてもよい。Ｘ線コンピュータ断層撮影が実行された回数と検査スケジュールデータに含まれる検査予約数とが等しくなる（ステップＳａ９）までステップＳａ３からステップＳａ８までの処理が繰り返される。
【００３９】
図３は、一例として、Ｘ線コンピュータ断層撮影の検査当日におけるモードの切り替えを、Ｘ線コンピュータ断層撮影の検査スケジュールとともに示す図である。図３の検査スケジュールにおいて、検査予約数は「４」である。ｔ１は第２の時間、ｔ２は第１の時間を示している。ｔ１において架台部７のＸ線管７１とＸ線検出器７５とは加熱され、ｔ２において架台部７のＸ線管は冷却される。ｔ１１１、ｔ１１２、ｔ１１３それぞれは、１回目、２回目、４回目のＸ線コンピュータ断層撮影の開始時刻を示している。ｔ２２１、ｔ２２２、ｔ２２３それぞれは、１回目、３回目、４回目のＸ線コンピュータ断層撮影の終了時刻を示している。ｔ１１、ｔ１２、ｔ１３それぞれは稼動モードへの切り替え時刻であり、それぞれｔ１１１からｔ１を遡った時刻、ｔ１１２からｔ１を遡った時刻、ｔ１１３からｔ１を遡った時刻である。ｔ２１、ｔ２２、ｔ２３それぞれは待機モードへの切り替え時刻であり、それぞれｔ２２１からｔ２が経過した時刻、ｔ２２２からｔ２が経過した時刻、ｔ２２３からｔ２が経過した時刻である。ｔｉは、２回目のＸ線コンピュータ断層撮影の終了時刻と３回目のＸ線コンピュータ断層撮影の開始時刻との時間間隔である。
【００４０】
ｔ２２１から（ｔ１＋ｔ２）が経過するまでにｔ１１２とならないので、ｔ２１からｔ１２まで待機モードが実施される。また、２回目のＸ線コンピュータ断層撮影の終了時刻から（ｔ１＋ｔ２）が経過するまでに３回目のＸ線コンピュータ断層撮影の開始時刻となる（ｔｉ＜ｔ１＋ｔ２）ので、２回目のＸ線コンピュータ断層撮影の終了時刻と３回目のＸ線コンピュータ断層撮影の開始時刻との間の時間間隔において、待機モードは実施されない。すなわちｔｉにおいて、稼動モードが維持される。４回目のＸ線コンピュータ断層撮影は、当日最後のＸ線コンピュータ断層撮影である。すなわち、実行されたＸ線コンピュータ断層撮影の回数（４回）が検査予約数（４回）に等しくなる。従って、ｔ２２３からｔ２を経過させたｔ２３に、電源部１３のモードが稼動モードから待機モードに切り替えられる。
【００４１】
以上に述べた構成によれば、以下の効果を得ることができる。  
本実施形態におけるＸ線コンピュータ断層撮影装置１によれば、ＲＩＳ２００とＨＩＳ２０１との少なくと一方から受信された検査スケジュールデータに基づいて、稼動モードから待機モードと待機モードから稼動モードとに切り替えることができる。これにより、本Ｘ線コンピュータ断層撮影装置１が検査に使われるときに稼動モードとなり、効率よく電力を使用することができる。また、Ｘ線コンピュータ断層撮影装置の省電力が可能となる。また、モードの切り替えは、検査スケジュールデータに基づいているため、操作者に対する負担は皆無である。
【００４２】
（第２の実施形態）  
図４は、第２の実施形態に係るＸ線コンピュータ断層撮影装置の構成を示す図である。第２の実施形態に係るＸ線コンピュータ断層撮影装置１は、寝台部３、高電圧発生部５、架台部７、インターフェース９、記憶部１０、コンソール１１、電源部１３、電源制御部１５、計測部１７を有する。
【００４３】
計測部１７は、Ｘ線管７１の温度とＸ線検出器７５の温度とを計測する。Ｘ線管７１の温度は、例えば図示していない軸受部の温度と陰極フィラメントの温度などである。
【００４４】
記憶部１０は、一つのＸ線コンピュータ断層撮影の検査における全ての画像が再構成部１１０により再構成された時刻（以下再構成時刻と呼ぶ）と、一つのＸ線コンピュータ断層撮影の検査における全ての画像が記憶部１０とＲＩＳ２００とＨＩＳ２０１とのうち少なくとも一つに記憶または転送された時刻（以下記憶時刻と呼ぶ）と、Ｘ線管７１の温度に関する所定の閾値と、Ｘ線管７１の温度が第２の閾値より低い温度から第２の閾値に達するまでの時間（以下第１の到達時間と呼ぶ）とＸ線管７１の温度との対応表（以下第１の対応表と呼ぶ）と、Ｘ線検出器７５の温度が第３の閾値より低い温度から第３の閾値に達するまでの時間（以下第２の到達時間と呼ぶ）とＸ線検出器７５の温度との対応表（以下第２の対応表と呼ぶ）とを記憶する。なお、記憶部１０は、陰極フィラメントの温度が第１の閾値より低い温度から第１の閾値に達するまでの時間（以下第３の到達時間と呼ぶ）と陰極フィラメントの温度との対応表（以下第３の対応表と呼ぶ）を記憶してもよい。
【００４５】
電源制御部１５は、計測されたＸ線管７１の温度が所定の閾値より高い温度から所定の閾値に達した時刻（以下到達時刻と呼ぶ）を決定する。電源制御部１５は、到達時刻と再構成時刻と記憶時刻とのうち最も遅い時刻を、待機モードへの切り替え時刻として決定する。電源制御部１５は、計測されたＸ線管７１の温度と第１の対応表とに基づいて、第１の到達時間を決定する。電源制御部１５は、計測されたＸ線検出器７５の温度と第２の対応表とに基づいて、第２の到達時間を決定する。電源制御部１５は、第１の到達時間と第２の到達時間とのうちより長い時間を選択する。電源制御部１５は、検査スケジュールデータにおける複数のＸ線コンピュータ断層撮影それぞれの開始時刻から選択された時間を遡らせた時刻を、稼動モードへの切り替え時刻として決定する。なお、電源制御部１５は、第３の到達時間を含めて、稼動モードへの切り替え時刻として決定してもよい。具体的には、電源制御部１５は、計測されたＸ線管７１の陰極フィラメントの温度と第３の対応表とに基づいて、第３の到達時間を決定する。電源制御部１５は、決定された第３の到達時間と第１の到達時間と第２の到達時間とのうち最も長い時間を選択する。電源制御部１５は、検査スケジュールデータにおける複数のＸ線コンピュータ断層撮影それぞれの開始時刻から選択された時間を遡らせた時刻を、稼動モードへの切り替え時刻として決定する。
【００４６】
電源制御部１５は、待機モードへの切り替え時刻に従って、稼動モードから待機モードへ切り替えるように電源部１３を制御する。電源制御部１５は、稼動モードへの切り替え時刻に従って、待機モードから稼動モードへ切り替えるように電源部１３を制御する。
【００４７】
（モード切り替え機能）  
図５は、Ｘ線コンピュータ断層撮影の検査当日におけるモード切り替え処理の手順を示すフローチャートである。  
Ｘ線コンピュータ断層撮影の検査当日、ＲＩＳ２００またはＨＩＳ２０１から受信した検査スケジュールデータが記憶部１０に記憶される（ステップＳａ１）。なお、記憶部１０に記憶される検査スケジュールデータは、図示していない記憶媒体などから読み込まれてもよい。
【００４８】
Ｘ線管７１の温度とＸ線検出器７５の温度とが計測される（ステップＳｂ２）。計測されたＸ線管７１の温度と第１の対応表とに基づいて、第１の到達時間が決定される。計測されたＸ線検出器７５の温度と第２の対応表に基づいて、第２の到達時間が決定される。第１の到達時間と第２の到達時間とのうちより長い時間が選択される。Ｘ線コンピュータ断層撮影の開始時刻から選択された時間を遡らせた時刻（稼動モードへの切り替え時刻）が決定される（ステップＳｂ３）。なお、ステップＳｂ３において、陰極フィラメントを加熱する時間を含めてもよい。このとき、計測されたＸ線管の温度と第３の対応表に基づいて、第３の到達時間が決定される。次に第１の到達時間と第２の到達時間と第３の到達時間とのうちより最も長い時間が選択される。稼動モードへの切り替え時刻が、Ｘ線コンピュータ断層撮影の開始時刻から選択された時間を遡らせた時刻として決定される。ステップＳｂ３に続いてステップＳａ３からステップＳａ５の処理が実行される。ステップＳａ５の後、Ｘ線管７１は冷却される。このとき、Ｘ線管７１の温度が計測される。
【００４９】
計測されたＸ線管７１の温度と第１の対応表とに基づいて第１の到達時間が決定される。（ステップＳｂ６）。Ｘ線管７１の温度が計測された時刻（以下計測時刻と呼ぶ）から第１の到達時間を経過させた時刻が、次のＸ線コンピュータ断層撮影の開始時刻に等しくなれば、Ｘ線管７１の冷却は中止される。冷却中止後、Ｘ線管７１の温度が第２の閾値に達するまで（第１の到達時間）、Ｘ線管７１は加熱される。Ｘ線管７１の加熱終了時刻が、次のＸ線コンピュータ断層撮影の開始時刻となり、電源部１３の稼動モードは維持されたままステップＳａ４からステップＳｂ７の処理が繰り返される（ステップＳｂ７）。なお、ステップＳｂ６、ステップＳｂ７において、陰極フィラメントが加熱される時間を含めてもよい。このとき、計測されたＸ線管の温度と第３の対応表に基づいて、第３の到達時間が決定される。次に第１の到達時間と第３の到達時間とのうちより長い時間が選択される。計測時刻に選択された時間を経過させた時刻を用いて、ステップＳｂ７の処理が実行される。
【００５０】
計測時刻から第１の到達時間を経過させた時刻が、次のＸ線コンピュータ断層撮影の開始時刻に等しくなければ、Ｘ線管７１が所定の閾値まで冷却され、かつ当該Ｘ線コンピュータ断層撮影の画像が再構成され、かつ再構成された画像が記憶部１０に保存および転送されたか否かが判定される（ステップＳｂ８）。所定の閾値までのＸ線管７１の冷却と、当該Ｘ線コンピュータ断層撮影における画像の再構成と、再構成された画像の記憶部１０への保存および転送とのうちいずれか一つが満たされない場合、ステップＳｂ６からステップＳｂ７の処理が繰り返される。所定の閾値までのＸ線管７１の冷却と、当該Ｘ線コンピュータ断層撮影における画像の再構成と、再構成された画像の記憶部１０への保存および転送とが全て満たされた場合、ステップＳａ８とステップＳａ９との処理が実行される。Ｘ線コンピュータ断層撮影が実行された回数と検査スケジュールデータに含まれる検査予約数とが等しくなる（ステップＳａ９）までステップＳｂ２からステップＳａ９までの処理が繰り返される。なお、再構成された画像は、図示していない画像観察装置もしくは図示していない画像保存装置へ保存および転送されてもよい。
【００５１】
図６は、一例として、Ｘ線コンピュータ断層撮影の検査当日におけるモードの切り替えを、Ｘ線コンピュータ断層撮影の検査スケジュールとともに示す図である。図６の検査スケジュールにおいて、検査予約数は「４」である。ｔ３、ｔ５、ｔ７は第１の到達時間と第２の到達時間とのうちより長い時間を示している。具体的には、ｔ３、ｔ５、ｔ７は、Ｘ線管７１を加熱する時間とＸ線検出器７５を加熱する時間とを含む時間を示している。なお、ｔ３、ｔ５、ｔ７には、陰極フィラメントが加熱される時間を含めてもよい。ｔ３、ｔ５、ｔ７それぞれにおいて、架台部７は加熱されている状態となる。ｔ４、ｔ６、ｔ８それぞれは、１回目、３回目、４回目のＸ線コンピュータ断層撮影後、Ｘ線管７１を所定の閾値まで冷却させた時間と画像を再構成させた時間と再構成された画像を記憶部１０に保存および転送させた時間とを含む時間を示している。ｔ４、ｔ６、ｔ８それぞれにおいて、架台部７は冷却されている状態となる。
【００５２】
ｔ１１１、ｔ１１２、ｔ１１３それぞれは、１回目、２回目、４回目のＸ線コンピュータ断層撮影の開始時刻を示している。ｔ２２１、ｔ２２２、ｔ２２３それぞれは、１回目、３回目、４回目のＸ線コンピュータ断層撮影の終了時刻を示している。ｔ１１、ｔ１２、ｔ１３それぞれは、稼動モードへの切り替え時刻であり、それぞれｔ１１１からｔ３を遡った時刻、ｔ１１２からｔ５を遡った時刻、ｔ１１３からｔ７を遡った時刻である。ｔ２１、ｔ２２、ｔ２３それぞれは、待機モードへの切り替え時刻であり、それぞれｔ２２１からｔ４が経過した時刻、ｔ２２２からｔ６が経過した時刻、ｔ２２３からｔ８が経過した時刻である。ｔｉは、２回目のＸ線コンピュータ断層撮影の終了時刻と３回目のＸ線コンピュータ断層撮影の開始時刻との時間間隔である。
【００５３】
ｔ２２１以降、Ｘ線管７１の温度が経時的に計測される。計測されたＸ線管７１の温度と第１の対応表とに基づいて、第１の到達時間が計測時刻ごとに決定される。計測時刻から第１の到達時間を経過させた時刻が、ｔ２２１からｔ２１までのいずれの計測時刻においても２回目のＸ線コンピュータ断層撮影の開始時刻に等しくならないので、ｔ２２１からｔ４を経過させた時刻に、電源部１３のモードが稼動モードから待機モードに切り替えられる。
【００５４】
ｔｉにおいて、Ｘ線管７１の温度が経時的に計測される。計測されたＸ線管７１の温度と第１の対応表とに基づいて、第１の到達時間が計測時刻ごとに決定される。計測時刻から第１の到達時間を経過させた時刻が、２回目のＸ線コンピュータ断層撮影の終了時刻からｔｉが経過するまでの間のいずれかの計測時刻において、３回目のＸ線コンピュータ断層撮影の開始時刻に等しくなるので、電源部１３のモードは稼動モードから待機モードに切り替えられない。すなわち電源部１３は稼動モードを維持した状態で、３回目のＸ線コンピュータ断層撮影が実施される。
【００５５】
ｔ２２２以降、Ｘ線管７１の温度が経時的に計測される。計測されたＸ線管７１の温度と第１の対応表とに基づいて、第１の到達時間が計測時刻ごとに決定される。計測時刻から第１の到達時間を経過させた時刻が、ｔ２２２からｔ２２までのいずれの計測時刻においても４回目のＸ線コンピュータ断層撮影の開始時刻に等しくならないので、ｔ２２２からｔ６を経過させた時刻に、電源部１３のモードが稼動モードから待機モードに切り替えられる。
【００５６】
４回目のＸ線コンピュータ断層撮影は、当日最後のＸ線コンピュータ断層撮影である。すなわち、実行されたＸ線コンピュータ断層撮影の回数（４回）が検査予約数（４回）に等しくなる。従って、ｔ２２３からｔ２を経過させたｔ２３に、電源部１３のモードが稼動モードから待機モードに切り替えられる。
【００５７】
以上に述べた構成によれば、以下の効果を得ることができる。  
本実施形態におけるＸ線コンピュータ断層撮影装置１によれば、ＲＩＳ２００とＨＩＳ２０１との少なくとも一方から受信された検査スケジュールデータと装置の状態（Ｘ線管７１の温度、Ｘ線検出器７５の温度、画像の再構成が完了した時刻、画像が記憶および転送された時刻）に基づいて、稼動モードから待機モードと待機モードから稼動モードとに切り替えることができる。これにより、本Ｘ線コンピュータ断層撮影装置１が検査に使われるときに稼動モードとなり、効率よく電力を使用することができる。また、Ｘ線コンピュータ断層撮影装置１の省電力が可能となる。また、モードの切り替えは、検査スケジュールデータに基づいているため、操作者に対する負担は皆無である。Ｘ線コンピュータ断層撮影装置１の状態をリアルタイムで監視することにより、細かなモードの切り替えが可能となり、さらなる省電力が可能となる。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５９】
１…Ｘ線コンピュータ断層撮影装置、３…寝台部、５…高電圧発生部、７…架台部、９…インターフェース、１０…記憶部、１１…コンソール、１３…電源部、１５…電源制御部、１７…計測部、３１…天板、７１…Ｘ線管、７３…回転リング、７５…Ｘ線検出器、７７…データ収集回路（ＤＡＳ）、１０１…Ｘ線の放射範囲、１０３…撮影領域、１１０…再構成部、１１３…制御部、１１５…表示部、１１７…入力部、２００…放射線部門情報管理システム（ＲＩＳ）、２０１…病院情報システム（ＨＩＳ）、７１１…第１のヒータ、７１３…冷却装置、７１５…Ｘ線の焦点、７５１…第２のヒータ
【図１】
0005508983.tif 000002
【図２】
0005508983.tif 000003
【図３】
0005508983.tif 000004
【図４】
0005508983.tif 000005
【図５】
0005508983.tif 000006
【図６】
0005508983.tif 000007
【図７】
0005508983.tif 000008